(57)【要約】【課題】脈拍情報や年齢情報を利用して、簡易な構成で体力判定を行う。【解決手段】酸素摂取量を用いて体力を判定する体力判定装置１であって、取得した脈拍数の最大脈拍数に対する脈拍数比率を求め、該脈拍数比率を酸素摂取量比率に換算し、該酸素摂取量比率を用いて安静時の酸素摂取量から最大酸素摂取量を演算する最大酸素摂取量演算部１４と、最大酸素摂取量が体力レベルに関係付けられた換算手段（換算テーブル２２２２、２２２３）と、前記最大酸素摂取量演算部の演算結果である前記最大酸素摂取量を用いて前記換算手段から体力レベルを判定する判定部１６とを備える構成である。【選択図】図１
2010233677.tif 000002
【特許請求の範囲】
【請求項１】
酸素摂取量を用いて体力を判定する体力判定装置であって、
取得した脈拍数の最大脈拍数に対する脈拍数比率を求め、該脈拍数比率を酸素摂取量比率に換算し、該酸素摂取量比率を用いて安静時の酸素摂取量から最大酸素摂取量を演算する最大酸素摂取量演算部と、
最大酸素摂取量が体力レベルに関係付けられた換算手段と、
前記最大酸素摂取量演算部の演算結果である前記最大酸素摂取量を用いて前記換算手段から体力レベルを判定する判定部と、
を備えることを特徴とする体力判定装置。
【請求項２】
前記換算手段は、最大酸素摂取量が年齢に関係付けられ、前記判定部は、前記最大酸素摂取量演算部で演算された前記最大酸素摂取量を用いて前記換算手段の最大酸素摂取量から年齢を求め、該年齢を体力年齢と判定することを特徴とする請求項１記載の体力判定装置。
【請求項３】
酸素摂取量を用いて体力を判定する体力判定方法であって、
脈拍数を測定するステップと、
最大脈拍数に対する前記脈拍数の脈拍数比率を求め、該脈拍数比率を酸素摂取量比率に換算し、該酸素摂取量比率を用いて安静時の酸素摂取量から最大酸素摂取量を演算するステップと、
最大酸素摂取量が体力レベルに関係付けられた換算手段が用いられ、演算された前記最大酸素摂取量を用いて前記換算手段から体力レベルを判定するステップと、
を含むことを特徴とする体力判定方法。
【請求項４】
酸素摂取量を用いて体力を判定する体力判定プログラムであって、
測定された脈拍数を取り込む機能と、
最大脈拍数に対する前記脈拍数の脈拍数比率を求め、該脈拍数比率を酸素摂取量比率に換算し、該酸素摂取量比率を用いて安静時の酸素摂取量から最大酸素摂取量を演算する機能と、
最大酸素摂取量が体力レベルに関係付けられた換算手段が用いられ、演算された前記最大酸素摂取量を用いて前記換算手段から体力レベルを判定する機能と、
をコンピュータによって実現することを特徴とする体力判定プログラム。
【請求項５】
酸素摂取量を用いて体力を判定する機能を備える携帯端末装置であって、
脈拍数を測定する脈拍測定手段と、
最大脈拍数に対する前記脈拍数の脈拍数比率を求め、該脈拍数比率を酸素摂取量比率に換算し、該酸素摂取量比率を用いて安静時の酸素摂取量から最大酸素摂取量を演算する最大酸素摂取量演算部と、
最大酸素摂取量が体力レベルに関係付けられた換算手段と、
前記最大酸素摂取量演算部の演算結果である前記最大酸素摂取量を用いて前記換算手段から体力レベルを判定する判定部と、
を備えることを特徴とする携帯端末装置。
【発明の詳細な説明】
【技術分野】
【０００１】
本発明は、人の体力判定に関し、例えば、脈拍や酸素摂取量を用いて体力レベルや体力年齢を判定する体力判定装置、体力判定方法、体力判定プログラム及び携帯端末装置に関する。
【背景技術】
【０００２】
人の体力レベルや体力年齢は、心肺機能の強さ等に起因すると言われている。継続的に運動を行っている人は、体力レベルが高く、体力年齢が低い傾向にあることが知られている。同じ運動負荷状態であっても、体力年齢が若い、又は体力レベルが高ければ、運動時の心拍数が低くなり、また、運動負荷の解除後、安静時の心拍数への復帰が早くなる。
【０００３】
体力年齢や体力レベルの判定では、実際に負荷をかけて運動を行い、その状態での心拍数等を測定することが行われている。
【０００４】
斯かる体力レベルや体力年齢に関し、最大心拍数を算出することや、酸素摂取量を用いて評価表から体力評価を行うこと（特許文献１）や、脈拍数や運動負荷値等を多変量モデル式を用いて推定値を算出すること（特許文献２）や、仕事率、酸素摂取量、脈拍数等の相関関係を表す回帰式を用いて算出すること（特許文献３）等が知られている。
【先行技術文献】
【特許文献】
【０００５】
【特許文献１】特開平６−１０５８３０号公報
【特許文献２】特開平６−２４５９１４号公報
【特許文献３】特開昭６３−１３２６３６号公報
【発明の概要】
【発明が解決しようとする課題】
【０００６】
ところで、体力年齢や体力レベルの判定では、実際に負荷運動を行って心拍数の変化等を計測し、より精密な限界体力を測定している。このような測定では、安定した結果を得るために、所定時間継続して運動を行う必要がある。一般の利用者が日常の健康管理の基準として体力年齢や体力レベルを測定する場合、限界負荷を運動によって実現することは困難である。
【０００７】
また、詳細な体力測定では、個人情報として、例えば年齢情報の他、体重や身長等の身体的な特徴データが考慮され、この特徴データも測定することは、気軽に体力年齢の算出を行うことの妨げとなる。
【０００８】
斯かる要求や課題について、特許文献１〜３にはその開示や示唆はなく、それを解決する構成等についての開示や示唆はない。
【０００９】
そこで、本開示の体力判定装置、体力判定方法、体力判定プログラム又は携帯端末装置の目的は、利用者が容易に取得できる情報を用いて体力を判定することにある。
【００１０】
また、本開示の体力判定装置、体力判定方法、体力判定プログラム又は携帯端末装置の他の目的は、判定された体力を利用者の健康増進に利用可能にすることにある。
【課題を解決するための手段】
【００１１】
上記課題を解決するため、本開示の体力判定装置では、酸素摂取量を用いて体力を判定する体力判定装置であって、最大酸素摂取量演算部と、換算手段と、判定部とで構成される。最大酸素摂取量演算部は、取得した脈拍数の最大脈拍数に対する脈拍数比率を求め、該脈拍数比率を酸素摂取量比率に換算し、該酸素摂取量比率を用いて安静時の酸素摂取量から最大酸素摂取量を演算する。換算手段は、最大酸素摂取量が体力レベルに関係付けられている。判定部は、前記最大酸素摂取量演算部の演算結果である前記最大酸素摂取量を用いて前記換算手段から体力レベルを判定する。
【００１２】
また、本開示の体力測定方法は、酸素摂取量を用いて体力を判定する体力判定方法であって、測定するステップと、演算するステップと、判定するステップとを含む。測定では、脈拍数の測定を行う。演算では、最大脈拍数に対する前記脈拍数の脈拍数比率を求め、該脈拍数比率を酸素摂取量比率に換算し、該酸素摂取量比率を用いて安静時の酸素摂取量から最大酸素摂取量の演算を行う。判定では、最大酸素摂取量が体力レベルに関係付けられた換算手段が用いられ、演算された前記最大酸素摂取量を用いて前記換算手段から体力レベルの判定を行う。
【００１３】
また、本開示の体力測定プログラムは、酸素摂取量を用いて体力を判定する体力判定プログラムであって、脈拍数を取り込む機能と、最大酸素摂取量を演算する機能と、体力レベルを判定する機能とを含む構成である。脈拍数を取り込む機能は、測定された脈拍数を取り込む。最大酸素摂取量を演算する機能は、最大脈拍数に対する前記脈拍数の脈拍数比率を求め、該脈拍数比率を酸素摂取量比率に換算し、該酸素摂取量比率を用いて安静時の酸素摂取量から最大酸素摂取量を演算する。体力レベルを判定する機能は、最大酸素摂取量が体力レベルに関係付けられた換算手段が用いられ、演算された前記最大酸素摂取量を用いて前記換算手段から体力レベルを判定する。
【００１４】
また、本開示の携帯端末装置は、酸素摂取量を用いて体力を判定する機能を備える携帯端末装置であって、脈拍測定手段と、最大酸素摂取量演算部と、換算手段と、判定部とを備える構成である。脈拍測定手段は、脈拍数を測定する。最大酸素摂取量演算部は、最大脈拍数に対する前記脈拍数の脈拍数比率を求め、該脈拍数比率を酸素摂取量比率に換算し、該酸素摂取量比率を用いて安静時の酸素摂取量から最大酸素摂取量を演算する。換算手段は、最大酸素摂取量が体力レベルに関係付けられている。判定部は、前記最大酸素摂取量演算部の演算結果である前記最大酸素摂取量を用いて前記換算手段から体力レベルを判定する。
【発明の効果】
【００１５】
本開示の体力判定装置、体力判定方法、体力判定プログラム又は携帯端末装置によれば、次のような効果が得られる。
【００１６】
(1) 取得した脈拍情報から最大酸素摂取量を算出し、換算手段を用いて簡易に体力年齢、体力レベルを算出することができる。
【００１７】
(2) 実際に負荷運動を行うことなく、利用者が容易に取得できる脈拍情報等を利用することで、利用者の体調等に影響を受けずに、体力年齢の測定を行うことができる。
【００１８】
(3) 簡易な構成で体力年齢や体力レベルの判定を行うことができる。
【００１９】
そして、本発明の他の目的、特徴及び利点は、添付図面及び各実施の形態を参照することにより、一層明確になるであろう。
【図面の簡単な説明】
【００２０】
【図１】第１の実施の形態に係る体力判定装置の機能構成例を示す図である。
【図２】体力年齢測定装置のハードウェア構成例を示す図である。
【図３】体力判定装置のメモリの構成例を示す図である。
【図４】カメラ型脈拍測定部による脈拍数測定の状態の例を示す図である。
【図５】脈拍数の測定処理を示すフローチャートである。
【図６】脈拍数算出処理の一例を示すフローチャートである。
【図７】体力判定処理を示すフローチャートである。
【図８】係数テーブルの例を示す図である。
【図９】体力レベルの判定処理を示すフローチャートである。
【図１０】体力レベルの判定処理の例を示す図である。
【図１１】体力年齢判定処理を示すフローチャートである。
【図１２】体力年齢の判定処理の例を示す図である。
【図１３】第２の実施の形態に係る表示処理部の処理を示すフローチャートである。
【図１４】体力レベル及びアドバイスの表示例を示す図である。
【図１５】体力年齢及びアドバイスの表示例を示す図である。
【図１６】脈拍測定時のガイダンスの表示例を示す図である。
【図１７】ガイダンスの表示例を示す図である。
【図１８】第３の実施の形態に係る携帯端末装置のハードウェア構成例を示す図である。
【図１９】開状態の携帯端末装置の外観構成例を示す図である。
【図２０】閉状態の携帯端末装置の外観構成例を示す図である。
【図２１】第４の実施の形態に係るイヤークリップ型脈拍測定部の構成例を示す図である。
【図２２】イヤークリップ型脈拍測定部の装着状態を示す図である。
【図２３】脈拍数算出処理を示すフローチャートである。
【図２４】他の実施の形態に係るＰＤＡを示す図である。
【図２５】他の実施の形態に係るＰＣを示す図である。
【発明を実施するための形態】
【００２１】
〔第１の実施の形態〕
【００２２】
この第１の実施の形態は、体力判定装置、体力判定方法、体力判定プログラム又は携帯端末装置の一例であって、取得した脈拍数を利用して、最大酸素摂取量を算出し、この最大酸素摂取量から換算手段により体力年齢や体力レベルを判定する。
【００２３】
第１の実施の形態について、図１、図２及び図３を参照する。図１は、第１の実施の形態に係る体力判定装置の機能構成例を示す図、図２は、体力判定装置のハードウェア構成例を示す図、図３は、体力判定装置のメモリの構成例を示す図である。なお、図１、図２及び図３に示す構成や処理内容は一例であって、これに限定されない。
【００２４】
この体力判定装置１は、測定した脈拍数を利用し、後述する演算処理、換算処理により最大酸素摂取量を算出し、この算出した最大酸素摂取量に対し、換算手段を用いて体力年齢や体力レベルの判定を行う体力判定機能部２、脈拍測定部４、表示部６、データ格納部８を備える。
【００２５】
体力判定機能部２は、体力判定装置１の演算機能部、換算機能部、判定機能部を構成し、例えば、脈拍数測定処理部１０、最大脈拍数算出処理部１２、最大酸素摂取量算出処理部１４、体力年齢／体力レベル判定処理部１６、表示処理部１８で構成されている。
【００２６】
脈拍数測定処理部１０は、脈拍数の算出手段の一例であって、脈拍測定部４で取り込んだ透過光の光量の変化情報から脈拍数を算出する。そして、算出した脈拍数は、最大脈拍数算出処理部１２やデータ格納部８等に送信する。また、この透過光量に変化がない場合等や脈拍測定が正常に行われていない場合には、その旨のアドバイス指示等を行う構成である。
【００２７】
最大脈拍数算出処理部１２は、演算部の一例であって、利用者の年齢等に応じた最大脈拍数（ＰＲｍａｘ）の算出を行うとともに、脈拍数測定処理部１０から脈拍数を受け取り、この脈拍数の最大脈拍数に対する脈拍数比率を求める。そして、算出した最大脈拍数や脈拍数比率等を最大酸素摂取量算出処理部１４側へと送信する。なお、算出した最大脈拍数（ＰＲｍａｘ）について、データ格納部８側へと送信して、例えば、個人情報として記憶させてもよい。
【００２８】
最大酸素摂取量算出処理部１４は、演算部の一例であって、測定した脈拍数（ＰＲ）、最大脈拍数算出処理部１２から受け取った最大脈拍数（ＰＲｍａｘ）、脈拍数の最大脈拍数に対する脈拍数比率（％ＰＲｍａｘ）、安静時の酸素摂取量（Ｖｏ）等を利用し、後述の算出処理や換算処理によって最大酸素摂取量（Ｖｏ２ｍａｘ）を演算する。そして、この最大酸素摂取量（Ｖｏ２ｍａｘ）を体力年齢／体力レベル判定処理部１６側へと送信する。なお、上記と同様に、算出した最大酸素摂取量（Ｖｏ２ｍａｘ）をデータ格納部８側へと送信し、例えば、個人情報として記憶させてもよい。
【００２９】
体力年齢／体力レベル判定処理部１６は、算出された最大酸素摂取量（Ｖｏ２ｍａｘ）から利用者の体力年齢や体力レベルを判定する判定部の一例である。この判定処理では、最大酸素摂取量（Ｖｏ２ｍａｘ）が体力レベル又は体力年齢に関係付けられた換算手段として、例えば、換算テーブルを利用して判定を行う。即ち、最大酸素摂取量算出処理部１４での算出結果である最大酸素摂取量を用いて、この換算手段から体力レベル又は体力年齢を判定する。なお、この換算手段には、換算テーブルの他、例えば最大酸素摂取量から体力レベル又は体力年齢を演算により求める演算手段を用いてもよい。
【００３０】
表示処理部１８は、表示部６に対して表示指示を行う機能であって、例えば、体力年齢／体力レベル判定処理部１６から判定結果情報を受け取り、その判定結果や、それに応じたアドバイス情報等を含む表示画面を作成して、表示部６側に送信する。また、例えば、利用者に対して、体力年齢や体力レベルの判定手順を指示する画面表示や、脈拍測定時のガイダンス表示等の指示を行ってもよい。
【００３１】
脈拍測定部４は、利用者の脈拍数（ＰＲ）等の情報を取得する脈拍測定手段の一例であって、例えば、指先や耳たぶの血流状態から脈拍数の測定を行う。この脈拍数の測定では、指先や耳に対して光を照射し、指先や耳を透過した光の取り込み等を行う。
【００３２】
表示部６は、判定した体力年齢や体力レベルを利用者に対して提示してする提示手段の一例である。なお、体力判定装置１の提示手段は、表示部６による提示の他、例えば音声等による提示を行ってもよい。
【００３３】
データ格納部８は、算出した脈拍数や最大脈拍数、最大酸素摂取量等を記録する記録部であるとともに、上記の演算処理を行うプログラムや判定処理を行うための換算テーブル等を記憶する記憶部の一例である。
【００３４】
また、この体力判定装置１のハードウェア構成は、図２に示すように、例えば、プロセッサ２０、メモリ２２、脈拍測定部４、表示部６、操作入力部２８等で構成されている。
【００３５】
プロセッサ２０は、例えば、ＣＰＵ（Central Processing Unit ）で構成され、メモリ２２に記憶されているＯＳ（Operating System）や各種プログラム等を実行するための演算手段である。
【００３６】
メモリ２２は、既述のデータ格納部８を構成し、演算プログラムを記憶するための記憶手段、データ等を記録する記録手段であって、図３に示すように、プログラム記憶部２２０、データ記憶部２２２、ＲＡＭ（Random Access Memory）２２４等で構成されている。プログラム記憶部２２０は、ＯＳの他、例えば、脈拍数算出処理プログラム２２０１、最大酸素摂取量算出処理プログラム２２０２、体力年齢／体力レベル判定プログラム２２０３等を記憶する。データ記憶部２２２は、取得した脈拍情報や算出結果を記録するとともに、後述の換算処理に利用する係数テーブル２２２１、最大酸素摂取量−体力年齢／体力レベル換算テーブル２２２２、２２２３等が記憶されている。
【００３７】
ＲＡＭ２２４は、ワーキングエリアとして機能し、上記の各種プログラムを実行することで、上記の脈拍数測定処理部１０、最大脈拍数算出処理部１２、最大酸素摂取量算出処理部１４、体力年齢／体力レベル判定処理部１６等を構成する。
【００３８】
脈拍測定部４は、既述のように、指先や耳たぶの血流状態から脈拍情報の測定を行うものであって、例えば、指先や耳たぶ等を透過した光を取り込む受光手段等で構成されている。表示部６は、既述のように提示手段を構成し、算出した体力年齢や体力レベルの他、健康アドバイス等の情報表示等を行うものであって、例えば、ＬＣＤ（Liquid Crystal Display）で構成されている。
【００３９】
操作入力部２８は、情報入力手段であって、キーパッド部を備え、文字等の記号入力キーや、表示情報を選択するカーソルキーや、選択された情報を決定する決定キー等を備える。この体力年齢／体力レベルの測定では、例えば、利用者の年齢情報等の入力、測定処理の開始指示入力等に利用する。
【００４０】
次に、脈拍測定部４における脈拍測定について、図４、図５及び図６を参照する。図４は、カメラ型脈拍測定部による脈拍測定状態の例を示す図、図５は、脈拍数の測定処理を示すフローチャート、図６は、脈拍数算出処理の一例を示すフローチャートである。なお、図４、図５及び図６に示す構成、及び処理手順等は一例であって、これに限定されない。
【００４１】
脈拍測定部４の一例として、図４に示すように、指の脈拍情報を取得するカメラ３０を利用したカメラ型脈拍測定部３２がある。このカメラ型脈拍測定部３２は、カメラ３０に対して利用者が脈拍測定対象である指３４を置き、この指３４に対して入射（照射）光３６として、例えば蛍光灯や太陽光等を透過し、この透過光３８の内、近赤外線の波長領域をカメラ３０で撮像する。この透過光３８の成分の内、近赤外線は血液内のヘモグロビンによって吸収される特性がある。血管内の血流は脈拍に応じて増減するので、血流量が多くなるタイミングでは近赤外線の透過光量が減る。逆に血流量が少なくなるタイミングでは透過光量が増える。この血流量の増減をカメラ３０に備えられたフォトダイオード４０による透過光量のセンシングや、カメラ画像が捕らえた輝度成分の変化等により脈拍数を測定する。
【００４２】
この脈拍数の測定処理では、図５に示すように、入射光３６に対して、測定対象である指３４を透過した近赤外線光（透過光３８）をフォトダイオード４０等でセンシングする（ステップＳ１１）。そして、そのセンシングした透過光３８の光量の変化情報を脈拍数測定処理部１０に送信する（ステップＳ１２）。脈拍数測定処理部１０では、この変化情報に基づいて脈拍数の算出処理を行う。
【００４３】
そこで、この脈拍数の算出処理では、図６に示すように、透過光量に変化があるか否かの判断を行う（ステップＳ２１）。即ち、透過光量に変化が無い場合には、正確に脈拍数の測定が行われておらず、例えば、カメラ３０に指３４が正確に置かれていない可能性を示している。
【００４４】
この判断において透過光量の変化がある場合（ステップＳ２１のＹＥＳ）、即ち、脈拍数を測定できる場合には、透過光量の変化の極大値及び極小値をカウントして脈拍数の算出を行う（ステップＳ２２）。そして、算出した脈拍数を最大脈拍数算出処理部１２やデータ格納部８等に通知する（ステップＳ２３）。
【００４５】
また、透過光量の変化が検出できない場合（ステップＳ２１のＮＯ）には、脈拍数算出が不可状態であると判断する（ステップＳ２４）。即ち、既述のカメラ型脈拍測定部３２に対して、利用者による指３４の置き方が悪い又は指が置かれていない等を判断することができる。そこで、その旨を表示処理部１８に通知し、例えば、表示部６において、正しく測定を行うようにガイダンスを表示させる（ステップＳ２５）。
【００４６】
なお、この指３４の置き方に対するガイダンスの通知は、表示部６における表示に限られず、例えば、スピーカ等による音声通知としてもよい。また、脈拍測定において、指に対して入射する光は、光源を設置して赤外線を照射する場合に限られず、例えば、太陽光等による照射光であってもよい。また、脈拍数の測定は、上記のカメラ型脈拍測定に限られるものではない。
【００４７】
次に、体力判定方法、体力判定プログラムによる体力判定処理について、図７、図８、図９、図１０、図１１及び図１２を参照する。図７は、体力判定処理を示すフローチャート、図８は、係数テーブルの例を示す図、図９は、体力レベルの判定処理を示すフローチャート、図１０は、体力レベルの判定処理の例を示す図、図１１は、体力年齢の判定処理を示すフローチャート、図１２は、体力年齢の判定処理を示す図である。なお、図７〜図１２に示す処理内容、処理手順や表示している値等は一例であって、これに限られない。
【００４８】
この体力年齢、体力レベルの算出処理では、利用者の年齢を利用して最大脈拍数等を算出し、取得した脈拍数の最大脈拍数に対する脈拍比率を求める。そして、この脈拍比率を酸素摂取比率に換算し、安静時の酸素摂取量を利用して最大酸素摂取量を演算する。この脈拍比率と酸素摂取比率との換算には、例えば、換算式を利用した演算を行う。そして、算出した最大酸素摂取量の値に対して、既述の換算テーブルを利用して体力年齢、体力レベルの判定を行う。
【００４９】
そこで、最大脈拍数（ＰＲｍａｘ）の算出を行う（ステップＳ３１）。この算出処理は、最大脈拍数算出処理部１２において行う。最大脈拍数（ＰＲｍａｘ）は、例えば、これ以上強い運動はできないという限界の脈拍数であり、以下の式で求める。
【００５０】
ＰＲｍａｘ〔beats ／min 〕＝２２０−Ａ                  ・・・（１）
【００５１】
ここで、Ａは、測定を行う利用者の実年齢であり、例えば、利用者が入力してもよく、また、予めデータ格納部８等に記録しておいたデータを利用してもよい。この最大脈拍数は、この式（１）に示すように、年齢の増加によって減少する。なお、算出した最大脈拍数（ＰＲｍａｘ）は、データ格納部８等に記録するようにしてもよい。
【００５２】
次に、脈拍数（ＰＲ〔beats ／min 〕）の取得を行う（ステップＳ３２）。脈拍数は、既述のように、脈拍測定部４において、指の血流等から測定する。この測定では、所定時間Ｔ１として、例えば１分間の脈拍数を測定する。
【００５３】
最大脈拍数（ＰＲｍａｘ）の算出値と脈拍数（ＰＲ）の測定値とにより、最大脈拍数に対する現在の脈拍数の割合、即ち、取得した脈拍数の最大脈拍数に対する脈拍数比率（％ＰＲｍａｘ）の算出を行う（ステップＳ３３）。この算出は、以下の式で表す。
【００５４】
％ＰＲｍａｘ＝ＰＲ÷ＰＲｍａｘ  ×１００                ・・・（２）
【００５５】
この算出は、例えば、最大脈拍数算出処理部１２等において行われる。
【００５６】
次に、最大酸素摂取量（Ｖｏ２ｍａｘ〔ml／kg／min 〕）に対する安静時の酸素摂取量（Ｖｏ２〔ml／kg／min 〕）の割合、即ち、酸素摂取量比率（％Ｖｏ２ｍａｘ）を定義する（ステップＳ３４）。この定義は、以下の式で表せる。
【００５７】
％Ｖｏ２ｍａｘ＝Ｖｏ２÷Ｖｏ２ｍａｘ  ×１００          ・・・（３）
【００５８】
この処理は、例えば、最大酸素摂取量算出処理部１４において行っており、上記の式（３）は、例えばデータ格納部８に記憶されているデータを読み出せばよい。この式（３）において、安静時の酸素摂取量Ｖｏ２は、所定値Ｘとして、例えば、３．５〔ml／kg／min 〕を利用する。
【００５９】
次に、上記の最大酸素摂取量に対する安静時の酸素摂取量の割合である酸素摂取量比率（％Ｖｏ２ｍａｘ）と、最大脈拍数に対する現在の脈拍数の割合である脈拍数比率（％ＰＲｍａｘ）との相関式を定義し、換算する（ステップＳ３５）。この相関式を以下に示す。
【００６０】
％Ｖｏ２ｍａｘ＝％ＰＲｍａｘ  ×  ａ  ＋  ｂ            ・・・（４）
【００６１】
即ち、この相関式は、上記ステップＳ３３で算出した脈拍数比率（％ＰＲｍａｘ）を酸素摂取量比率（％Ｖｏ２ｍａｘ）に換算する手段である。式中のａ、ｂは、脈拍数比率と酸素摂取量比率との相関係数であって、例えば、この相関関係について、酸素摂取量比率を縦軸に取り、脈拍数比率を横軸に取ったグラフにおける直線式を表し、ａがその直線の傾きを表し、ｂが縦軸との切片を表す。斯かる係数ａ、ｂは、例えば、図８に示すように、性別及び年齢層毎に設定された係数テーブル２２２１により決定する。この係数テーブル２２２１は、例えば、データ記憶部２２２に記憶されている。この定義処理、及び換算処理は、例えば、最大酸素摂取量算出処理部１４において行う。
【００６２】
なお、係数テーブル２２２１からの係数データの読み出しにおいて、利用者の年齢情報や性別情報が必要になるが、年齢情報は、上記ステップＳ３１の処理において取り込めばよく、また、性別情報は、利用者の入力操作によって取得すればよい。また、予め体力判定装置１に登録しておいてもよい。
【００６３】
次に、換算した酸素摂取量比率（％Ｖｏ２ｍａｘ）を用いて、安静時の酸素摂取量（Ｖｏ２）から最大酸素摂取量（Ｖｏ２ｍａｘ）を算出する。この最大酸素摂取量の算出では、上記の式（３）を変形した以下の式を利用する。
【００６４】
そして、ステップＳ３５において換算した酸素摂取量比率（％Ｖｏ２ｍａｘ）を利用して、式（５）から最大酸素摂取量Ｖｏ２ｍａｘを算出し、この最大酸素摂取量を用いて、換算手段である最大酸素摂取量−体力年齢／体力レベル換算テーブル２２２２、２２２３（図１０、図１２）のどのカテゴリーに適合するかにより、体力年齢、体力レベルを判定する（ステップＳ３６）。
【００６５】
Ｖｏ２ｍａｘ＝Ｖｏ２  ÷  ％Ｖｏ２ｍａｘ  ×  １００      ・・・（５）
【００６６】
なお、以上の体力年齢、体力レベルの算出処理では、上記フローチャートに示す手順に限定されるものではない。
【００６７】
次に、図７のステップＳ３６に示した体力年齢、体力レベルの判定処理に関し、体力判定方法、体力判定プログラムによる具体的な判定処理方法を説明する。なお、ここで示す判定処理は、一例であって、これに限定されない。
【００６８】
体力レベルの判定処理では、図９に示すように、例えば、体力年齢／体力レベル判定処理部１６において、最大酸素摂取量の算出結果を最大酸素摂取量算出処理部１４やデータ格納部８等から読み出す（ステップＳ４１）。また、利用者情報として、例えば、判定に利用する年齢情報や性別情報を読み出す（ステップＳ４２）。この利用者情報は、既述の算出処理において取得した情報を利用してもよい。そして、例えば、データ格納部８から、利用者の性別情報に応じた最大酸素摂取量−体力年齢／体力レベル換算テーブル２２２２、２２２３を読み出す（ステップＳ４３）。
【００６９】
図１０に示すように、読み出した最大酸素摂取量−体力年齢／体力レベル換算テーブル２２２２に対し、利用者の年齢情報及び算出された最大酸素摂取量（Ｖｏ２ｍａｘ）が当てはまる体力レベルを判定する（ステップＳ４４）。この最大酸素摂取量−体力年齢／体力レベル換算テーブル２２２２では、所定の年齢毎に区分けされた年齢情報５０に対し、体力レベルの判定５２に応じた最大酸素摂取量の値５４が関係付けられている。体力レベルの判定では、例えば、利用者の実年齢に対し、算出した最大酸素摂取量の値が含まれる欄に割り当てられた体力レベルの判定をする。
【００７０】
ここで、体力レベルの判定処理について、具体的な例として、例えば、実年齢３５歳の男性の算出値がＶｏ２ｍａｘ＝４３．０の場合について説明する。
【００７１】
この例では、図１０に示すように、最大酸素摂取量−体力年齢／体力レベル換算テーブル２２２２において、実線で示された「３５−３９」歳の年齢の欄５６を参照する。この欄において、Ｖｏ２ｍａｘ＝４３．０が当てはまる欄を参照し、その欄に対する体力レベルを判定する。即ち、この例では、「３５−３９」歳の欄の「ｇｏｏｄ」の欄５８に当てはまることから、体力レベルは「ｇｏｏｄ」と判定する。
【００７２】
判定結果を得たら、表示処理部１８に対してその旨を通知し、表示部６に表示させる（ステップＳ４５）。
【００７３】
次に、体力判定方法、体力判定プログラムによる体力年齢の判定処理の例について説明する。斯かる判定処理は、一例であって、これに限定されない。
【００７４】
体力年齢の判定処理においても、図１１に示すように、体力年齢／体力レベル判定処理部１６において、最大酸素摂取量の算出結果を最大酸素摂取量算出処理部１４やデータ格納部８等から読み出す（ステップＳ５１）とともに、利用者情報として、例えば、判定に利用する年齢情報や性別情報を読み出す（ステップＳ５２）。そして、利用者の性別情報に応じた最大酸素摂取量−体力年齢／体力レベル換算テーブル２２２２、２２２３を読み出す。
【００７５】
そして、最大酸素摂取量−体力年齢／体力レベル換算テーブル２２２２、２２２３を利用して、体力年齢の判定処理に移行する。体力年齢の判定では、年齢に対する最大酸素摂取量の標準的な値を示す「ａｖｅｒａｇｅ」の欄を基準に判定を行う。即ち、実年齢に対する「ａｖｅｒａｇｅ」の欄のＶｏ２ｍａｘの値と、算出したＶｏ２ｍａｘの値とを比較して、体力年齢の判定を行う。
【００７６】
この判定処理の具体例として、例えば、実年齢３５歳の女性がＶｏ２ｍａｘ＝３３．０の場合について、図１２を利用して説明する。
【００７７】
まず、「年齢」の欄６０と、Ｖｏ２ｍａｘを示した「ａｖｅｒａｇｅ」の欄６２を参照する。そして、利用者の実年齢に対応する「ａｖｅｒａｇｅ」の欄の値と、算出したＶｏ２ｍａｘの値とを対比する（ステップＳ５３）。即ち、利用者の年齢は３５歳であるので、「３５−３９」歳に対応する「年齢」の欄６４に対する「ａｖｅｒａｇｅ」の欄６６を特定する。そして、この「ａｖｅｒａｇｅ」の欄６６に示された値と算出したＶｏ２ｍａｘ＝３３．０とを対比する。
【００７８】
算出したＶｏ２ｍａｘの値は、特定した「ａｖｅｒａｇｅ」の欄６６の値に含まれるか否かの判定を行い（ステップＳ５４）、含まれる場合（ステップＳ５４のＹＥＳ）には、この「ａｖｅｒａｇｅ」の欄６６に対応する「年齢」を体力年齢として判定し、その判定結果を表示処理部１８側へと通知する（ステップＳ５５）。
【００７９】
また、この「ａｖｅｒａｇｅ」の欄６６の値に含まれない場合（ステップＳ５４のＮＯ）、算出したＶｏ２ｍａｘが、特定した「ａｖｅｒａｇｅ」の欄６６の値よりも大きいか否かの判断を行う（ステップＳ５６）。実年齢に対する平均的な最大酸素摂取量を示した「ａｖｅｒａｇｅ」の値に対し、算出したＶｏ２ｍａｘが大きければ、体力年齢が実年齢よりも若いことを示し、逆に小さければ、体力年齢が実年齢よりも衰えていることを示している。
【００８０】
そこで、算出したＶｏ２ｍａｘが大きい場合（ステップＳ５６のＹＥＳ）、特定した「ａｖｅｒａｇｅ」の欄６６よりも１段階年下の「ａｖｅｒａｇｅ」の欄６８を特定する（ステップＳ５７）。また、算出したＶｏ２ｍａｘが小さい場合（ステップＳ５６のＮＯ）、特定した「ａｖｅｒａｇｅ」の欄６６よりも１段階年上の「ａｖｅｒａｇｅ」の欄７０を特定する（ステップＳ５８）。
【００８１】
この具体例では、算出したＶｏ２ｍａｘ＝３３．０に対して、「３５−３９」歳に対応する「ａｖｅｒａｇｅ」の欄６６が「２６．４〜３１．９」であり、算出したＶｏ２ｍａｘが特定した「ａｖｅｒａｇｅ」の欄６６の値よりも大きい（ステップＳ５４のＮＯ、ステップＳ５６のＹＥＳ）。そこで、１段階年下である「３０−３４」歳に対応する欄６８を判定対象として特定する（ステップＳ５７）。
【００８２】
そして、新たな判定対象を特定したら、再び、算出したＶｏ２ｍａｘの値が、新たに特定した「ａｖｅｒａｇｅ」の欄６８の値に含まれるか否かの判定（ステップＳ５４）に戻る。
【００８３】
上記例においては、新たに特定した「３０−３４」歳に対応する「ａｖｅｒａｇｅ」の欄（１段階年下の「ａｖｅｒａｇｅ」の欄６８）の値が「２８．１〜３３．６」であり、算出したＶｏ２ｍａｘ＝３３．０が含まれる（ステップＳ５４のＹＥＳ）。よって、この利用者の体力年齢は、例えば「３０−３４」歳であると判定して、表示部６等に表示する。
【００８４】
なお、上記の例では、体力レベルの判定を男性の例、体力年齢の判定を女性の例で説明したが、判定対象が性別に応じて決められるのではないことは言うまでもなく、男性においても体力年齢の判定を行い、また、女性においても体力レベルの判定を行うことができる。図９〜図１２に示す判定処理において、上記の例では、体力年齢と体力レベルをそれぞれ別の判定処理フローチャートで表し、算出結果の読み出しや利用者の情報の読み出しを別個に行っているが、体力年齢と体力レベルの判定を連続の処理で行ってもよい。その他、図９及び図１１に示す体力年齢、体力レベルの判定処理において、処理順序は限定されるものではない。
【００８５】
斯かる構成によれば、実際に負荷運動を行って、心拍数等の生理的な体の変化を計測することがないので、体調等に影響を受けることなく、体力年齢や体力レベルを測定することができる。また、簡易な構成、少ない情報で体力年齢や体力レベルを測定することができ、気軽に健康状態の確認を行えるので、健康管理意識の向上に貢献できる。また、体力年齢や体力レベルの測定に個人情報である、例えば年齢情報の他、体重や身長等の身体的な特徴データを入力する必要がないので、個人情報保護の観点からも実用性が高い。
【００８６】
上記した第１の実施の形態について、特徴事項、利点等を列挙する。
【００８７】
(1) 上記実施の形態によれば、測定に大掛かりな装置を要する「心電計」等を用いる必要がなく、簡易な構成で手軽に体力年齢や体力レベルを算出することができる。
【００８８】
(2) 上記実施の形態によれば、「最大酸素摂取量に対する割合（％Ｖｏ２ｍａｘ）」と「測定した脈拍数が最大脈拍数に占める割合（％ＰＲｍａｘ）」の相関式と、年齢及び性別毎の係数表を用いることで、体力年齢や体力レベルを算出することができる。
【００８９】
(3) 上記実施の形態によれば、最大酸素摂取量を求めることで体力年齢や体力レベルを算出でき、体重や仕事率等の複雑な情報が不要である。
【００９０】
(4) 上記実施の形態によれば、最大酸素摂取量を求める過程で体重や仕事率等の情報が不要であり、大掛かりな機械を用いる必要がない。また、秘匿にしたい情報である体重等の身体的特徴を伴う個人情報の入力が不要であり、体力判定装置や体力判定プログラムを搭載した携帯端末装置を紛失した場合に、個人情報が流出するというおそれが無い。
【００９１】
〔第２の実施の形態〕
【００９２】
第２の実施の形態では、表示部を利用した通知処理に関する。
【００９３】
この第２の実施の形態について、図１３、図１４、図１５、図１６及び図１７を参照する。図１３は、第２の実施の形態に係る表示処理部の処理を示すフローチャート、図１４は、体力レベル及びアドバイスの表示例を示す図、図１５は、体力年齢及びアドバイスの表示例を示す図、図１６は、脈拍測定時のガイダンスの表示例を示す図、図１７は、ガイダンスの表示例を示す図である。なお、図１３〜図１７に示す構成処理内容、又は処理手順等は、一例であって、これに限定されない。
【００９４】
体力判定装置１の表示処理部１８では、体力年齢、体力レベルの算出処理が行われると、その算出結果を表示部６等を利用して提示し、利用者への通知を行う。また、この算出結果の通知において、例えば、利用者に対して、健康管理等に関するアドバイス表示等を行う。その他、この通知処理では、体力判定処理に関し、利用者に対してガイダンスの通知を行ってもよく、また、体力判定処理が正常に行うことができない場合に、その旨を通知するようにしてもよい。
【００９５】
表示処理部１８では、体力年齢／体力レベル判定処理部１６から利用者の体力年齢、体力レベルの判定結果を受信する（ステップＳ６１）。そして、その利用者の体力年齢、体力レベルや健康管理アドバイス等の情報について、例えば、図１４、図１５に示すように、表示部６に表示させる表示画面８０、８６を生成して、表示部６側へと送信する（ステップＳ６２）。
【００９６】
体力レベルの表示画面８０では、図１４に示すように、体力レベルの通知８２として、例えば、「あなたの体力レベルはｇｏｏｄです」のように表示する。この体力レベルの通知８２は、上記のように、最大酸素摂取量−体力年齢／体力レベル換算テーブル２２２２、２２２３にある体力レベルの判定５２を表示する。また、この表示画面８０には、健康管理に関するアドバイス情報８４を表示している。このアドバイス情報８４は、例えば、体力レベルの判定結果に応じた表示内容のテーブルを設定し、データ格納部８に記憶しておいてもよい。この場合、例えば、体力レベルが悪い判定の「Ｐｏｏｒ」、「Ｖｅｒｙ  ｐｏｏｒ」等の場合には、運動や食事管理の改善を促す等の内容を表示してもよい。
【００９７】
また、体力年齢の表示画面８６では、図１５に示すように、体力年齢の通知８８として、例えば、「あなたの体力年齢は３０歳台前半です」のように表示する。この場合、例えば、比較対象として、データ格納部８等に登録され、体力年齢の算出に利用した実年齢を併せて表示してもよい。また、健康管理に関するアドバイス情報９０を表示している。このアドバイス表示９０においても、上記と同様に、例えば、体力年齢の判定結果に応じた表示内容のテーブルを設定し、データ格納部８に記憶し、表示すればよい。
【００９８】
なお、体力年齢、体力レベル及びアドバイス表示を１つの画面上に併記して表示してもよい。
【００９９】
また、表示部６を利用した通知に関し、脈拍数の測定時に表示するガイダンスの表示例を図１６及び図１７に示す。
【０１００】
このガイダンス表示例では、既述のカメラ型脈拍測定部３２におけるガイダンス表示例を示している。即ち、体力年齢、体力レベル算出処理の開始を契機に、表示部６において、例えば、カメラ３０に指３４を置くように促すガイダンス表示画面９２を表示する。
【０１０１】
また、脈拍数算出処理（図６）において、正しく脈拍の測定が行えない場合（ステップＳ２１のＮＯ：図６）に、例えば、カメラ３０を指３４で覆うように促すガイダンス表示画面９４を表示する（ステップＳ２５：図６）。その他、例えば、指３４の位置を変えるように促す表示を行ってもよい。
【０１０２】
なお、この体力年齢、体力レベル及びそれらに応じたアドバイス、また、脈拍数算出処理等におけるガイダンスにおいては、表示部６を利用した通知に限られず、例えば、音声等による通知を行ってもよい。
【０１０３】
斯かる構成により、体力判定装置１において算出した体力年齢、体力レベルを利用者に通知し、また、この算出結果に基づくアドバイスを行うことで、利用者の健康管理意識の向上を図ることができる。また、脈拍数算出処理において、利用者に対し、脈拍測定を正しく行うように促すガイダンス表示を行うことで、脈拍測定が精度よく行え、実用性を高めることができる。
【０１０４】
〔第３の実施の形態〕
【０１０５】
この第３の実施の形態は、体力判定装置を実現する携帯端末装置の例に関する。
【０１０６】
第３の実施の形態について、図１８、図１９及び図２０を参照する。図１８は、第３の実施の形態に係る携帯電話機のハードウェア構成例を示す図、図１９は、開状態の携帯電話機の外観構成を示す図、図２０は、閉状態の携帯電話機の外観構成を示す図である。図１８、図１９及び図２０に示す構成は一例であって、斯かる構成に限定されない。
【０１０７】
この携帯電話機１００は体力判定装置、体力判定方法、体力判定プログラム又は携帯端末装置の一例であって、例えば、ＣＰＵ（Central Processing Unit ）１０２、メモリ１０４、表示部１０６、カメラ部１０８、通信部１１０、操作入力部１１２、音声出力部１１４等で構成されている。
【０１０８】
このＣＰＵ１０２は、既述の体力判定装置１のプロセッサ２０に対応し、携帯電話機１００に機能させるプログラム等の演算処理手段の一例であって、ＯＳや脈拍数算出処理プログラムや最大酸素摂取量算出プログラム等の実行処理を行う。
【０１０９】
メモリ１０４は、既述のメモリ２２に対応し、例えば、プログラム記憶部１１６、データ記憶部１１８、ＲＡＭ１２０で構成されている。このプログラム記憶部１１６は、例えば、携帯電話機１００のＯＳや体力年齢／体力レベル判定プログラムや、その他のプログラム等を記憶しているＲＯＭ（Read Only Memory）等で構成されている。データ記憶部１１８は、既述のデータ格納部８を構成し、例えば、測定した脈拍数情報や算出した最大酸素摂取量等を記憶するとともに、係数テーブル２２２１や最大酸素摂取量−体力年齢／体力レベル換算テーブル２２２２、２２２３等を記憶している。
【０１１０】
また、ＲＡＭ１２０は、例えば、前記の演算処理等を実行するためのワークエリアであって、プログラム記憶部１１６に記憶されている既述のプログラムの実行処理により、脈拍数測定処理部１０、最大脈拍数算出処理部１２、最大酸素摂取量算出処理部１４、体力年齢／体力レベル判定処理部１６、表示処理部１８等を構成する。
【０１１１】
表示部１０６は、算出した体力年齢、体力レベルや、その体力年齢、体力レベルに基づいた健康アドバイス等の通知手段を構成し、例えば、ＬＣＤ（Liquid Crystal Display）で構成されたメイン表示部１２２やサブ表示部１２４を備えている。
【０１１２】
カメラ部１０８は、脈拍数測定において指先や手のひら等を撮像する撮像手段の一例であって、ディジタルカメラ等で構成されており、指先等の血流状態を読み取る脈拍測定部４を構成する。
【０１１３】
通信部１１０は、アンテナ１２６を備え、例えば、電話回線やネットワーク等の無線通信により、外部の基地局や他の携帯端末装置、又はサーバ等との間での通話制御や、データの送受信等の制御を行う。なお、体力年齢、体力レベルの算出において、例えば、既述の算出処理プログラム等を必要に応じて、外部のサーバ等からダウンロードするようにしてもよい。
【０１１４】
操作入力部１１２は、情報入力手段であって、キーパッド部を備え、文字等の記号入力キーや表示情報を選択するカーソルキーや、選択された情報を決定する決定キー等を備える。音声出力部１１４は、例えば、スピーカ１３０Ｒ、１３０Ｌを備え、音声信号を音声として再生する。
【０１１５】
なお、この操作入力部１１２は、例えば、表示部１０６の表示画面上に表示されたアイコンと入力キーとを対応させたソフトキー機能を利用してもよい。また、表示部１０６と一体に形成し、表示画面上の操作コマンド表示に対して、利用者の指が触れた位置を検知して画面上の位置を認識してコンピュータに指示を与える、所謂タッチパネル式のものであってもよい。
【０１１６】
この携帯電話機１００は、図１９に示すように、第１の筐体１３２と、第２の筐体１３４とを備え、これら筐体１３２、１３４をヒンジ部１３６で連結して開閉可能に構成されている。筐体１３２には操作入力部１１２やスピーカ１３０Ｌ、１３０Ｒが搭載されている。操作入力部１１２はキーパッド部等を備えている。筐体１３４には、メイン表示部１２２やインカメラ１３８が搭載されている。
【０１１７】
また、携帯電話機１００には、図２０に示すように、筐体１３４の外部側中央にサブ表示部１２４が搭載され、また、ヒンジ部１３６側には、アウトカメラ１４０が搭載されている。
【０１１８】
斯かる構成によれば、利用者が日常的に携行し、利用する携帯電話機１００を以て簡易な構成により体力判定を行い、利用者に通知することができる。従って、健康管理意識の向上を図る上で有益な情報を提示でき、この実施の形態においても、第１の実施の形態と同様の効果が得られる。
【０１１９】
〔第４の実施の形態〕
【０１２０】
この第４の実施の形態は、イヤークリップを利用した脈拍測定部の例に関する。
【０１２１】
第４の実施の形態について、図２１、図２２及び図２３を参照する。図２１は、第４の実施の形態に係るイヤークリップ型脈拍測定部の構成例を示す図、図２２は、イヤークリップ型脈拍測定部の装着状態を示す図、図２３は、脈拍数算出処理を示すフローチャートである。なお、図２１、図２２及び図２３に示す構成、処理内容は一例であって、これに限定されない。
【０１２２】
この実施の形態に係るイヤークリップ型脈拍測定部１５０は、脈拍測定部４の一例であって、図２１に示すように、２つの筐体部１５２、１５４をヒンジ部１５６で接続し、測定対象である耳たぶ１５８を挟めるクリップ状に構成されている。筐体部１５２、１５４が対向する面において、例えば筐体部１５２側には、光源である近赤外線ＬＥＤ１６０が備えられ、筐体部１５４側には、受光手段であるフォトダイオード１６２が備えられている。
【０１２３】
イヤークリップ型脈拍測定部１５０では、図２２に示すように、筐体部１５２、１５４で利用者の耳たぶ１５８を挟み、近赤外線ＬＥＤ１６０から発光した近赤外線を耳たぶ１５８に透過させ、その透過光１６４をフォトダイオード１６２でセンシングする。これにより、既述のカメラを利用した脈拍測定と同様に、透過光量の多少に基づいて血流量の変化によって脈拍を測定する。
【０１２４】
イヤークリップ型脈拍測定部１５０による脈拍数算出処理は、図２３に示すように、近赤外線ＬＥＤ１６０を発光させ、耳たぶ１５８を透過した光（透過光１６４）をフォトダイオード１６２でセンシングする（ステップＳ７１）。そして、そのセンシングした透過光１６４の光量の変化情報を脈拍数測定処理部１０に送信する（ステップＳ７２）。脈拍数測定処理部１０では、この変化情報に基づいて脈拍数の算出処理を行う。
【０１２５】
なお、クリップ型の脈拍測定では、耳たぶ１５８の血流を利用するものに限られず、例えば、指先にクリップを挟んで脈拍を測定するようにしてもよい。
【０１２６】
斯かる構成によっても、簡易な構成で脈拍数の測定が行え、体力判定に利用することができ、上記実施の形態と同様の効果が得られる。
【０１２７】
〔他の実施の形態〕
【０１２８】
(1) 上記実施の形態では、体力判定装置、体力判定方法、体力判定プログラム、又は携帯端末装置の一例として、携帯電話機１００を例示して説明したが、これに限られず、例えば、図２４に示すように、携帯情報端末機（ＰＤＡ：Personal Digital Assistant）３００を用いてもよい。このＰＤＡ３００には、脈拍測定部４を構成するカメラ３０２、提示手段を構成する表示部３０４等が搭載されている。
【０１２９】
(2) また、図２５に示すように、パーソナルコンピュータ（ＰＣ）４００を利用してもよい。このＰＣ４００には、脈拍測定部４を構成するカメラ４０２、判定結果を提示する提示手段を構成する表示部４０４等を備えている。斯かる構成によっても、上記実施の形態と同様の目的を達成することができる。
【０１３０】
(3) 上記実施の形態では、体力年齢の判定において、図１２に示すように、算出した最大酸素摂取量Ｖｏ２ｍａｘが実年齢に応じた「ａｖｅｒａｇｅ」の欄（６６）に含まれない場合には、直近の１段階上下の欄（６８、７０）を参照したが、これに限られない。例えば、「ａｖｅｒａｇｅ」の欄６２において、算出したＶｏ２ｍａｘの値が複数の体力年齢の範囲に含まれる場合、その何れかに応じた年齢を体力年齢として判定してもよい。即ち、既述の例において、Ｖｏ２ｍａｘ＝３３．０は、「３０−３４」歳より若い体力年齢の「ａｖｅｒａｇｅ」の欄６２のいずれにも含まれる。従って、体力年齢の判定では、「３５−３９」よりも若い年齢を体力年齢として判定してもよい。
【０１３１】
(4) また、体力年齢の判定において、上記のように、算出したＶｏ２ｍａｘの値が複数の体力年齢の範囲に含まれる場合、例えば、体力年齢の算出回数等に応じて判定対象を変更してもよい。即ち、体力年齢の算出実績として、算出回数をカウントしておき、複数の体力年齢の範囲に含まれるＶｏ２ｍａｘを多数回算出した場合には、体力年齢の判定対象の欄を例えば、１段階年下、又は１段階年上の欄に変更してもよい。斯かる構成によっても、上記実施の形態と同様の効果を得ることができる。
【０１３２】
(5) 上記実施の形態では、脈拍数測定に関し、指先や耳たぶの血流の多少を透過光量によって検出しているが、これに限られず、例えば、手首等に圧力を掛けて脈拍を測定する構成でもよく、また、利用者の心臓の鼓動音を音声センサ等で計測してもよい。
【０１３３】
次に、以上述べた実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１３４】
（付記１）  酸素摂取量を用いて体力を判定する体力判定装置であって、
取得した脈拍数の最大脈拍数に対する脈拍数比率を求め、該脈拍数比率を酸素摂取量比率に換算し、該酸素摂取量比率を用いて安静時の酸素摂取量から最大酸素摂取量を演算する最大酸素摂取量演算部と、
最大酸素摂取量が体力レベルに関係付けられた換算手段と、
前記最大酸素摂取量演算部の演算結果である前記最大酸素摂取量を用いて前記換算手段から体力レベルを判定する判定部と、
を備えることを特徴とする体力判定装置。
【０１３５】
（付記２）  前記換算手段は、最大酸素摂取量が年齢に関係付けられ、前記判定部は、前記最大酸素摂取量演算部で演算された前記最大酸素摂取量を用いて前記換算手段の最大酸素摂取量から年齢を求め、該年齢を体力年齢と判定することを特徴とする付記１記載の体力判定装置。
【０１３６】
（付記３）  前記脈拍数を測定する脈拍測定手段を備えることを特徴とする付記１記載の体力判定装置。
【０１３７】
（付記４）  前記換算手段は、最大酸素摂取量が年齢毎に体力レベルに関係付けられ、前記最大酸素摂取量から体力レベル又は体力年齢が求められる換算テーブル又は演算手段であることを特徴とする付記１又は付記２記載の体力判定装置。
【０１３８】
（付記５）  前記体力レベルを提示する提示手段を備えることを特徴とする付記１記載の体力判定装置。
【０１３９】
（付記６）  前記体力年齢を提示する提示手段を備えることを特徴とする付記２記載の体力判定装置。
【０１４０】
（付記７）  前記年齢を求める際の最大酸素摂取量は、標準値である体力レベルに関係付けられた最大酸素摂取量であることを特徴とする付記２記載の体力判定装置。
【０１４１】
（付記８）  酸素摂取量を用いて体力を判定する体力判定方法であって、
脈拍数を測定するステップと、
最大脈拍数に対する前記脈拍数の脈拍数比率を求め、該脈拍数比率を酸素摂取量比率に換算し、該酸素摂取量比率を用いて安静時の酸素摂取量から最大酸素摂取量を演算するステップと、
最大酸素摂取量が体力レベルに関係付けられた換算手段が用いられ、演算された前記最大酸素摂取量を用いて前記換算手段から体力レベルを判定するステップと、
を含むことを特徴とする体力判定方法。
【０１４２】
（付記９）  酸素摂取量を用いて体力を判定する体力判定プログラムであって、
測定された脈拍数を取り込む機能と、
最大脈拍数に対する前記脈拍数の脈拍数比率を求め、該脈拍数比率を酸素摂取量比率に換算し、該酸素摂取量比率を用いて安静時の酸素摂取量から最大酸素摂取量を演算する機能と、
最大酸素摂取量が体力レベルに関係付けられた換算手段が用いられ、演算された前記最大酸素摂取量を用いて前記換算手段から年齢に応じた体力レベルを判定する機能と、
をコンピュータによって実現することを特徴とする体力判定プログラム。
【０１４３】
（付記１０）  酸素摂取量を用いて体力を判定する機能を備える携帯端末装置であって、
脈拍数を測定する脈拍測定手段と、
取得した脈拍数の最大脈拍数に対する脈拍数比率を求め、該脈拍数比率を酸素摂取量比率に換算し、該酸素摂取量比率を用いて安静時の酸素摂取量から最大酸素摂取量を演算する最大酸素摂取量演算部と、
最大酸素摂取量が体力レベルに関係付けられた換算手段と、
前記最大酸素摂取量演算部の演算結果である前記最大酸素摂取量を用いて前記換算手段から体力レベルを判定する判定部と、
を備えることを特徴とする携帯端末装置。
【０１４４】
以上説明したように、体力判定装置、体力判定方法、体力判定プログラム及び携帯端末装置の好ましい実施の形態について説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【産業上の利用可能性】
【０１４５】
本開示の体力判定装置、体力判定方法、体力判定プログラム及び携帯端末装置は、脈拍や酸素摂取量等、利用者が容易に取得できる情報を用いて、簡易な構成で体力を判定し、通知することで、利用者の健康増進を図ることができ、有用である。
【符号の説明】
【０１４６】
１  体力判定装置
２  体力判定機能部
４  脈拍測定部
６  表示部
８  データ格納部
１０  脈拍数測定処理部
１２  最大脈拍数算出処理部
１４  最大酸素摂取量算出処理部
１６  体力年齢／体力レベル判定処理部
１８  表示処理部
２０  プロセッサ
２２  メモリ
２２０  プログラム記憶部
２２２  データ記憶部
２２２１  係数テーブル
２２２２、２２２３  最大酸素摂取量−体力年齢／体力レベル換算テーブル
２２４  ＲＡＭ
２８  操作入力部
３０  カメラ
３２  カメラ型脈拍測定部
８０、８６  表示画面
８２  体力レベルの通知
８４  アドバイス情報
８８  体力年齢の通知
９０  アドバイス情報
１００  携帯電話機
１５０  イヤークリップ型脈拍測定部
３００  ＰＤＡ
４００  ＰＣ
【図１】
2010233677.tif 000003
【図２】
2010233677.tif 000004
【図３】
2010233677.tif 000005
【図４】
2010233677.tif 000006
【図５】
2010233677.tif 000007
【図６】
2010233677.tif 000008
【図７】
2010233677.tif 000009
【図８】
2010233677.tif 000010
【図９】
2010233677.tif 000011
【図１０】
2010233677.tif 000012
【図１１】
2010233677.tif 000013
【図１２】
2010233677.tif 000014
【図１３】
2010233677.tif 000015
【図１４】
2010233677.tif 000016
【図１５】
2010233677.tif 000017
【図１６】
2010233677.tif 000018
【図１７】
2010233677.tif 000019
【図１８】
2010233677.tif 000020
【図１９】
2010233677.tif 000021
【図２０】
2010233677.tif 000022
【図２１】
2010233677.tif 000023
【図２２】
2010233677.tif 000024
【図２３】
2010233677.tif 000025
【図２４】
2010233677.tif 000026
【図２５】
2010233677.tif 000027